(57)【要約】【課題】復水の再蒸発に伴うモヤモヤとした湯気を確実に目立たなくすることのできる小型で安価な蒸気トラップの消湯気器を提供する。【解決手段】  蒸気トラップ３の出口２に気液分離膜で形成した長尺状の細管４を接続する。細管４は、その外表面に多数の細孔を有すると共に、複数本を螺旋状に曲げて取り付ける。複数の螺旋状細管４の右端部にＬ字状のエルボ５を接続する。  蒸気トラップ３の出口２から排出される高温状態の復水は、気液分離膜で形成した長尺状の細管４内を分配されて流下する間に、その熱が大気中へ放熱されて冷却されることにより、オリフィス・プレート７の小径貫通孔６から大気中へ排出される際には復水の温度が低下しており、再蒸発してモヤモヤと湯気が立ち昇ることがない。【選択図】 図１
2007303627.tif 000002
【特許請求の範囲】
【請求項１】
蒸気トラップの出口から大気中へ排出される復水が再蒸発してモヤモヤと立ち昇る湯気を防止すものにおいて、蒸気トラップの出口側に、蒸気は透過させるが液体は透過させない気液分離膜で形成した長尺状の細管を連設して、当該細管内を復水が流下する間に、復水が再蒸発して復水の保有する熱を大気中に放熱することによって、モヤモヤと立ち昇る湯気を目立たなくすることを特徴とする蒸気トラップの消湯気器。
【発明の詳細な説明】
【技術分野】
【０００１】
本発明は、蒸気トラップの出口から排出される復水の再蒸発に伴うモヤモヤと立ち昇る湯気を防止することのできる蒸気トラップの消湯気器に関する。
【背景技術】
【０００２】
蒸気トラップの消湯気器は、蒸気トラップの出口に排出管と上下に位置する水溜部を設けて、再蒸発した蒸気を上部の水溜部を通過させて冷却することによって、モヤモヤと立ち昇る再蒸発蒸気の湯気を防止することができるものである。
【０００３】
この蒸気トラップの消湯気器では、モヤモヤとした湯気を確実に消すために、排出管の上下に数多くの水溜部を設ける必要があり、消湯気器そのものが大型化して高価なものとなってしまう問題点があった。
【特許文献１】特公平４−６７０８０号公報
【発明の開示】
【発明が解決しようとする課題】
【０００４】
解決しようとする課題は、復水の再蒸発に伴うモヤモヤとした湯気を確実に目立たなくすることのできる小型で安価な蒸気トラップの消湯気器を提供することである。
【課題を解決するための手段】
【０００５】
本発明は、蒸気トラップの出口から大気中へ排出される復水が再蒸発してモヤモヤと立ち昇る湯気を防止すものにおいて、蒸気トラップの出口側に、蒸気は透過させるが液体は透過させない気液分離膜で形成した長尺状の細管を連設して、当該細管内を復水が流下する間に、復水が再蒸発して復水の保有する熱を大気中に放熱することによって、モヤモヤと立ち昇る湯気を目立たなくするものである。
【発明の効果】
【０００６】
本発明の蒸気トラップの消湯気器は、蒸気トラップの出口側に取り付けた気液分離膜で形成した長尺状の細管内を、復水が流下する間に、長尺状の細管の全外表面から微少量ごとの復水が再蒸発して細管の細孔を通って大気中へ放散されることによって、復水の保有する熱を大気中へ放熱することにより復水が冷却され、且つ、長尺状の細管の全外表面から微少量ごとの再蒸発蒸気が放散されるために、再蒸発蒸気が一箇所からまとまってモヤモヤと立ち昇るようなことがなく、湯気を目立たなくすることができ、小型で安価な蒸気トラップの消湯気器とすることができる。
【発明を実施するための最良の形態】
【０００７】
本発明は、気液分離膜で形成した長尺状の細管を用いるものであるが、気液分離膜としては、従来から膜蒸留法などで使用されている疎水性多孔質膜を用いることができ、また、細管の管径や長さなどは、蒸気トラップの出口から排出される復水の量や温度に応じて適宜選定することができる。
【実施例１】
【０００８】
本実施例においては図１に示すように、入口１と出口２を備えた蒸気トラップ３と、蒸気トラップ３の出口２に連設した複数本の気液分離膜で形成した螺旋状細管４とで蒸気トラップの消湯気器を構成する。
【０００９】
蒸気トラップ３の入口１は図示しない蒸気使用装置と接続することにより、蒸気使用装置で蒸気の凝縮した復水と一部蒸気との混合流体が、蒸気トラップ３内に流入する。蒸気トラップ３は、復水を出口２から外部へ排出するが、蒸気は排出することのない自動弁の一種である。
【００１０】
気液分離膜で形成した長尺状の細管４は、本実施例においてはそれぞれ連続した螺旋状に曲げ加工して取り付ける。この長尺状の細管４の外表面には図示はしていないが、気体としての蒸気は透過するが液体は透過することのない微小な細孔を多数有するものである。また、複数の螺旋状細管４はそれぞれ極力接触しないように配置して、大気中への放熱及び蒸気の放散が阻害されないようにする。
【００１１】
複数の螺旋状細管４の右端にはＬ字状の配管部材であるエルボ５を接続する。複数の螺旋状細管４の両端部と、蒸気トラップ３の出口２及びエルボ５の接続部は、溶接又はろう付け等によって気密に接合する。気液分離膜で形成した細管４の総有効内径断面積は、蒸気トラップ３の出口２の内径断面積と、及び、エルボ５の内径断面積と極力等しくなるように選定する。
【００１２】
エルボ５の下端部には、小径貫通孔６を設けたオリフィス・プレート７を取り付ける。小径貫通孔６の断面積は、エルボ５の内径断面積よりも小さくして、絞り作用を果たすものである。
【００１３】
蒸気トラップ３の出口２から排出される復水は高温状態であり、気液分離膜で形成した細管４内を分配されて流下する間に、復水の一部が再度蒸発して細管４外表面の多数の細孔から大気中へ放散されることによってその熱が大気中へ放熱されて復水は冷却される。この場合、大気中へ放散される再蒸発蒸気は、複数の長尺状細管４の外表面全体からそれぞれ分散されて放散されるために、一箇所から再蒸発する場合と比較するとほとんどモヤモヤと立ち昇る湯気は目立たなくなる。
【００１４】
更に、復水が長尺状の細管４内を流下する間には、細管４の管壁を介して大気中への放熱もあり、エルボ５側へ流下するまでに復水は所定温度まで冷却される。
【００１５】
復水が、エルボ５下端部のオリフィス・プレート７の小径貫通孔６から大気中へ排出される際にはその温度が低下しており、再度蒸発してモヤモヤと湯気が立ち昇ることはない。また、長尺状の細管４を螺旋状に曲げ加工して取り付けたことによって、細管４の放熱表面積をより多く確保することができ、復水の冷却を促進することができる。
【００１６】
なお、小径貫通孔６によってエルボ５内の流路が絞られることにより、蒸気トラップ３の出口２から排出される復水は、気液分離膜で形成した長尺状の細管４とエルボ５内に長時間滞留することとなり、大気中への放熱が一層促進される。
【００１７】
このように、蒸気トラップ３の出口２に気液分離膜で形成した長尺状の細管４を接続するだけで、復水の再蒸発に伴うモヤモヤとした湯気を確実に目立たなくすることのできる小型で安価な蒸気トラップの消湯気器とすることができる。
【００１８】
長尺状の細管４の長さは、蒸気トラップ３から排出される復水の量、温度及び細管４の管径に応じて適宜選定することができる。
【図面の簡単な説明】
【００１９】
【図１】本発明の蒸気トラップの消湯気器の実施例を示す一部断面構成図。
【符号の説明】
【００２０】
１  入口
２  出口
３  蒸気トラップ
４  気液分離膜で形成した細管
５  エルボ
６  小径貫通孔
７  オリフィス・プレート
【図１】
2007303627.tif 000003